(57)【要約】【課題】端子を経由した内部回路への静電気放電を防止することの可能な電池パック、電動工具、及び充電器を提供する。【解決手段】電池パック１は、電池ハウジング２０にリチウムイオン二次電池等の電池セルを内蔵し、電動工具との電気的接続のために複数の電池側端子２１を有する。電池パック１は、電動工具に対して横方向にスライドさせて装着するタイプであり、周知のラッチ機構により電動工具に保持される。電池パック１を電動工具に装着すると、電池側端子２１が工具側端子と接触する。電池ハウジング２０の側面には一対のラッチ操作部２２が設けられ、使用者は、双方のラッチ操作部２２を両側から押してラッチ機構を解除し、電動工具に対して電池パック１を装着時と逆方向にスライドさせることで、電動工具から電池パック１を取り外すことができる。ラッチ操作部２２の凹み部には、静電気除去部材２３が設けられる。【選択図】図２
2015191735.tif 000002
【特許請求の範囲】
【請求項１】
装着先の対象機器と電気的に接続するための端子を備え、ハウジング表面の少なくとも一部に静電気除去部材が設けられている、電池パック。
【請求項２】
前記対象機器にラッチ機構により着脱自在であり、前記静電気除去部材が、前記ハウジング表面の前記ラッチ機構を解除するための操作部に設けられている、請求項１に記載の電池パック。
【請求項３】
前記静電気除去部材が、前記ハウジング表面の面と面の境界に沿って設けられている、請求項１又は２に記載の電池パック。
【請求項４】
電池パックを着脱自在に装着可能な電動工具であって、ハウジング表面の少なくとも一部に静電気除去部材が設けられている、電動工具。
【請求項５】
前記静電気除去部材が、前記ハウジングのハンドル部に設けられている、請求項４に記載の電動工具。
【請求項６】
電池パックを着脱自在に装着可能な電動工具であって、スイッチ操作部に静電気除去部材が設けられている、電動工具。
【請求項７】
電池パックを着脱自在に装着し前記電池パックを充電する充電器であって、ハウジング表面の少なくとも一部に静電気除去部材が設けられている、充電器。
【発明の詳細な説明】
【技術分野】
【０００１】
本発明は、装着先の対象機器に給電する電池パック、並びに電池パックを着脱自在に装着する電動工具及び充電器に関する。
【背景技術】
【０００２】
コードレスタイプの電動工具は、一般に、電源となる電池パックをラッチ機構により着脱自在に装着する。例えば冬場の乾燥した環境下では、作業者に静電気が帯電しやすく、電動工具に対する電池パックの着脱時等に端子に作業者の手が近づくと、端子を経由して内部回路に静電気放電が起こり得る。電池パックを着脱自在に装着して充電する充電器においても同様に内部回路に静電気放電が起こり得る。
【先行技術文献】
【特許文献】
【０００３】
【特許文献１】特開２０１４−０４２９４８号公報
【発明の概要】
【発明が解決しようとする課題】
【０００４】
内部回路への静電気放電に対しては回路側で対策を取ることも可能であるが、端子経由での静電気放電を未然に防ぐことが望ましい。
【０００５】
本発明はこうした状況を認識してなされたものであり、その目的は、端子を経由した内部回路への静電気放電を防止することの可能な電池パック、電動工具、及び充電器を提供することにある。
【課題を解決するための手段】
【０００６】
本発明のある態様は、電池パックである。この電池パックは、装着先の対象機器と電気的に接続するための端子を備え、ハウジング表面の少なくとも一部に静電気除去部材が設けられている。
【０００７】
前記対象機器にラッチ機構により着脱自在であり、前記静電気除去部材が、前記ハウジング表面の前記ラッチ機構を解除するための操作部に設けられていてもよい。
【０００８】
前記静電気除去部材が、前記ハウジング表面の面と面の境界に沿って設けられていてもよい。
【０００９】
本発明のもう１つの態様は、電池パックを着脱自在に装着可能な電動工具であって、ハウジング表面の少なくとも一部に静電気除去部材が設けられている。
【００１０】
前記静電気除去部材が、前記ハウジングのハンドル部に設けられていてもよい。
【００１１】
本発明のもう１つの態様は、電池パックを着脱自在に装着可能な電動工具であって、スイッチ操作部に静電気除去部材が設けられている。
【００１２】
本発明のもう１つの態様は、電池パックを着脱自在に装着し前記電池パックを充電する充電器であって、ハウジング表面の少なくとも一部に静電気除去部材が設けられている。
【００１３】
なお、以上の構成要素の任意の組合せ、本発明の表現を方法やシステムなどの間で変換したものもまた、本発明の態様として有効である。
【発明の効果】
【００１４】
本発明によれば、端子を経由した内部回路への静電気放電を防止することの可能な電池パック、電動工具、及び充電器を提供することができる。
【図面の簡単な説明】
【００１５】
【図１】本発明の実施の形態１に係る電池パック１の平面図。
【図２】同正面図。
【図３】電池パック１を装着した電動工具１１の正面図。
【図４】電池パック１の電動工具１１に対する装着方法説明図。
【図５】本発明の実施の形態２に係る電池パック２の正面図。
【図６】本発明の実施の形態３に係る電池パック３の正面図。
【図７】本発明の実施の形態４に係る電池パック４の正面図。
【図８】同底面図。
【図９】本発明の実施の形態５に係る電池パック５の正面図。
【図１０】電池パック５を装着した電動工具１２の正面図。
【図１１】電池パック５の電動工具１２に対する装着方法説明図。
【図１２】本発明の実施の形態６に係る電池パック６の正面図。
【図１３】本発明の実施の形態７に係る電動工具１３の右側面図。
【図１４】本発明の実施の形態８に関し、図１０に示す電動工具１２に着脱自在なサイドハンドル３４の右側面図。
【図１５】本発明の実施の形態９に係る電動工具１４の要部左側面図。
【図１６】本発明の実施の形態１０に係る電動工具１５の正面図。
【図１７】本発明の実施の形態１１に係る充電器１０の平面図。
【図１８】同底面図。
【図１９】同右側面図。
【発明を実施するための形態】
【００１６】
以下、図面を参照しながら本発明の好適な実施の形態を詳述する。なお、各図面に示される同一または同等の構成要素、部材等には同一の符号を付し、適宜重複した説明は省略する。また、実施の形態は発明を限定するものではなく例示であり、実施の形態に記述されるすべての特徴やその組み合わせは必ずしも発明の本質的なものであるとは限らない。
【００１７】
実施の形態１
図１は、本発明の実施の形態１に係る電池パック１の平面図である。図２は、同正面図である。図３は、電池パック１を装着した電動工具１１の正面図である。図４は、電池パック１の電動工具１１に対する装着方法説明図である。
【００１８】
電池パック１は、電池ハウジング２０にリチウムイオン二次電池等の不図示の電池セルを内蔵し、電動工具１１との電気的接続のために複数の電池側端子２１を有する。電動工具１１は、ここではインパクトドライバを例示しているが、他の種類の電動工具であってもよい。電動工具１１の内部構成は周知なので説明を省略する。電池パック１は、図４に示すように、電動工具１１に対して横方向にスライドさせて装着するタイプであり、周知のラッチ機構により電動工具１１に保持される。電池パック１を電動工具１１に装着すると、電池側端子２１が工具側端子３１と接触する。電池ハウジング２０の側面には一対のラッチ操作部２２が設けられ、使用者は、双方のラッチ操作部２２を両側から押してラッチ機構を解除し、電動工具１１に対して電池パック１を装着時と逆方向にスライドさせることで、電動工具１１から電池パック１を取り外すことができる。
【００１９】
図２に示すように、ラッチ操作部２２の凹み部には、静電気除去部材２３が設けられている。なお、各図において、静電気除去部材はハッチングにより強調表示されている。静電気除去部材２３は、静電気を人体から逃すための部材であり、表面抵抗率が例えば105〜109[Ω/sq]の材料（静電気拡散性材料）からなる。具体的には、静電気除去部材２３の材料としては、導電性ＮＢＲ（ニトルゴム、表面抵抗率107〜108[Ω/sq]）、あるいは導電性ＥＰＲ（エチレンプロピレンゴム、表面抵抗率107〜108[Ω/sq]）等が挙げられる。他の実施の形態における静電気除去部材の材料は、本実施の形態の静電気除去部材２３の材料と同じでよい。
【００２０】
本実施の形態によれば、電池パック１を電動工具１１から取り外す際に必ず触れるラッチ操作部２２に静電気除去部材２３を設けているため、使用者は特に意識しなくても電池パック１の取外し時に自身に帯電した静電気を静電気除去部材２３に逃すことができ、電池側端子２１を経由して電池パック１の内部回路に静電気放電することを防止できる。同様に、工具側端子３１を経由して電動工具１１の内部回路に静電気放電することも防止できる。なお、人体から静電気除去部材２３に逃れた静電気は、時間と共に空気中に自然放電される。
【００２１】
実施の形態２
図５は、本発明の実施の形態２に係る電池パック２の正面図である。電池パック２は、図２に示した実施の形態１のものと比較して、静電気除去部材２３がラッチ操作部２２の全面に設けられている点で相違し、その他の点で一致する。本実施の形態も、実施の形態１と同様の効果を奏することができる。
【００２２】
実施の形態３
図６は、本発明の実施の形態３に係る電池パック３の正面図である。電池パック３は、図２に示した実施の形態１のものと比較して、静電気除去部材２４が電池ハウジング２０の側面に設けられている点で相違し、その他の点で一致する。静電気除去部材２４は電池パック３を図４に示すように電動工具１１に装着する際に触れやすい部分にあり、本実施の形態によれば、使用者は電動工具１１に対する電池パック３の装着時にも特に意識することなく自身に帯電した静電気を静電気除去部材２４に逃すことができる。
【００２３】
実施の形態４
図７は、本発明の実施の形態４に係る電池パック４の正面図である。図８は、同底面図である。電池パック４は、図２に示した実施の形態１のものと比較して、静電気除去部材２５が電池ハウジング２０の面と面の境界（外側に凸となる辺に当たる部分）に沿って設けられている点で相違し、その他の点で一致する。静電気除去部材２５は電池パック４を図４に示すように電動工具１１に装着する際に触れやすい部分にあり、本実施の形態によれば、使用者は電動工具１１に対する電池パック４の装着時にも特に意識することなく自身に帯電した静電気を静電気除去部材２５に逃すことができる。また、電池パック４を床面などのアース効果がある場所に置いたときに静電気除去部材２５が床面などに触れることで、静電気除去部材２５に逃れた静電気は直ちに放電される。さらに、電池パック４が落下した際には静電気除去部材２５がクッションの役割を果たし、電池ハウジング２０の保護や振動低減の効果が得られる。
【００２４】
実施の形態５
図９は、本発明の実施の形態５に係る電池パック５の正面図である。図１０は、電池パック５を装着した電動工具１２の正面図である。図１１は、電池パック５の電動工具１２に対する装着方法説明図である。
【００２５】
電池パック５は、電池ハウジング３５にリチウムイオン二次電池等の不図示の電池セルを内蔵し、電動工具１２との電気的接続のために複数の電池側端子３６を有する。電動工具１２は、ここではドリルドライバを例示しているが、他の種類の電動工具であってもよい。電動工具１２の内部構成は周知なので説明を省略する。電動工具１２には、任意の角度でサイドハンドル３４を装着可能である。電池パック５は、図１１に示すように、電動工具１２に対して下方から差し込んで装着するタイプであり、周知のラッチ機構により電動工具１２に保持される。電池パック５を電動工具１２に装着すると、電池側端子３６が工具側端子３７と接触する。電池ハウジング３５の側面には一対のラッチ操作部３２が設けられ、使用者は、双方のラッチ操作部３２を両側から押してラッチ機構を解除し、電動工具１２に対して電池パック５を下方に引き出すことで、電動工具１２から電池パック５を取り外すことができる。図９に示すように、ラッチ操作部３２の凹み部には、静電気除去部材２６が設けられる。本実施の形態も、実施の形態１と同様の効果を奏することができる。
【００２６】
実施の形態６
図１２は、本発明の実施の形態６に係る電池パック６の正面図である。この電池パック６は、図９に示した実施の形態５のものと比較して、静電気除去部材２６がラッチ操作部３２の全面に設けられている点で相違し、その他の点で一致する。本実施の形態も、実施の形態５と同様の効果を奏することができる。
【００２７】
実施の形態７
図１３は、本発明の実施の形態７に係る電動工具１３の右側面図である。電動工具１３は、図１０に示したものにおいてトリガスイッチを操作するスイッチ操作部３３に静電気除去部材２７を設けたものである。本実施の形態によれば、使用者は、作業時に必然的にスイッチ操作部３３に触れるので、特に意識することなく自身に帯電した静電気を静電気除去部材２７に逃すことができる。
【００２８】
実施の形態８
図１４は、本発明の実施の形態８に関し、図１０に示す電動工具１２に着脱自在なサイドハンドル３４の右側面図である。サイドハンドル３４には、握り部３８を覆うように静電気除去部材２８が設けられている。本実施の形態によれば、使用者は、穴あけやネジ締め等の作業時にサイドハンドル３４を握ることで、特に意識することなく自身に帯電した静電気を静電気除去部材２８に逃すことができる。
【００２９】
実施の形態９
図１５は、本発明の実施の形態９に係る電動工具１４の要部左側面図である。電動工具１４は、図１０に示したものにおいて本体ハウジング３９の後方（背面）に静電気除去部材２９を設けたものである。本実施の形態によれば、使用者は、本体ハウジング３９の後方を押さえながら穴あけやネジ締め等の作業を行うことで、特に意識することなく自身に帯電した静電気を静電気除去部材２９に逃すことができる。
【００３０】
実施の形態１０
図１６は、本発明の実施の形態１０に係る電動工具１５の正面図である。電動工具１５は、電池パック７を着脱自在に装着する。電動工具１５には、本体ハウジング４０の表面を覆うように静電気除去部材３０が設けられている。一般に、電動工具の本体ハウジングに熱可塑性エラストマー（ＴＰＥ）等で覆われることが多いが、本実施の形態では熱可塑性エラストマー等の替わりに静電気除去部材３０で本体ハウジング４０を覆っており、これにより静電気除去機能を追加している。なお、本体ハウジング４０の一部のみを静電気除去部材３０で覆ってもよく、この場合はハンドル部４１のように使用者が頻繁に触れる場所に静電気除去部材３０を設けるとよい。本実施の形態によれば、使用者は、持ち運び時や作業時に特に意識することなく自身に帯電した静電気を静電気除去部材３０に逃すことができる。
【００３１】
実施の形態１１
図１７は、本発明の実施の形態１１に係る充電器１０の平面図である。図１８は同底面図、図１９は同右側面図である。充電器１０は、図１等に示した電池パックを着脱自在に装着して充電するものであり、ハウジング４２の表面には静電気除去部材４３が設けられている。静電気除去部材４３は、ハウジング４２の底面の足部４４の表面（接地面）にも設けられている。本実施の形態によれば、使用者は、電池パックを充電器１０に装着して充電する際にハウジング４２の表面に触れることで、自身に帯電した静電気を静電気除去部材４３に逃すことができる。また、静電気除去部材４３に逃れた静電気は足部４４から直ちに充電器１０の配置面に放電される。
【００３２】
以上、実施の形態を例に本発明を説明したが、実施の形態の各構成要素や各処理プロセスには請求項に記載の範囲で種々の変形が可能であることは当業者に理解されるところである。電池パックの装着先する対象機器は、電動工具に限定されず、任意の電子機器であってもよい。
【符号の説明】
【００３３】
１〜７  電池パック、１０  充電器、１１〜１５  電動工具、２０  電池ハウジング、２１  電池側端子、２２  ラッチ操作部、２３〜３０  静電気除去部材、３１  工具側端子、３２  ラッチ操作部、３３  スイッチ操作部、３４  サイドハンドル、３５  電池ハウジング、３６  電池側端子、３７  工具側端子、３８  握り部、３９,４０  本体ハウジング、４１  ハンドル部、４２  ハウジング、４３  静電気除去部材、４４  足部
【図１】
2015191735.tif 000003
【図２】
2015191735.tif 000004
【図３】
2015191735.tif 000005
【図４】
2015191735.tif 000006
【図５】
2015191735.tif 000007
【図６】
2015191735.tif 000008
【図７】
2015191735.tif 000009
【図８】
2015191735.tif 000010
【図９】
2015191735.tif 000011
【図１０】
2015191735.tif 000012
【図１１】
2015191735.tif 000013
【図１２】
2015191735.tif 000014
【図１３】
2015191735.tif 000015
【図１４】
2015191735.tif 000016
【図１５】
2015191735.tif 000017
【図１６】
2015191735.tif 000018
【図１７】
2015191735.tif 000019
【図１８】
2015191735.tif 000020
【図１９】
2015191735.tif 000021